(57)【要約】ＢＳ  ＥＮ  ５７２シリーズ規格に従う少なくとも２枚の一枚板ソーダ石灰石英ガラス板を備え、該板が、ある程度に強化され、該板の各々が、隣接している縁にて該板のうちの少なくとも別の１枚に当接し、封止剤が、該当接している板の隣接している縁の間に位置する、耐火性ガラススクリーン。【選択図】図１
2017525641.tif 000002
【特許請求の範囲】
【請求項１】
耐火性ガラススクリーンであって、
少なくとも２枚の一枚板ソーダ石灰石英ガラス板を備え、
前記板が、ある程度に強化され、
前記板の各々が、隣接している縁にて前記板のうちの少なくとも別の１枚に当接し、
封止剤が、前記当接している板の隣接している縁の間に位置する、耐火性ガラススクリーン。
【請求項２】
中方立て、無目、桟、窓枠、及び／または嵌め込みが、前記隣接している縁の少なくとも一部の間に位置せず、かつ／あるいは隣接している縁領域の少なくとも一部に位置しない、請求項１に記載のスクリーン。
【請求項３】
中方立て、無目、桟、窓枠、及び／または嵌め込みが、前記隣接している縁の長さの少なくとも８０％の間に位置せず、かつ／あるいは隣接している縁領域の長さの少なくとも８０％に位置しない、請求項１または請求項２に記載のスクリーン。
【請求項４】
中方立て、無目、桟、窓枠、及び／または嵌め込みが、前記隣接している縁の間に位置せず、かつ／あるいは隣接している縁領域に位置しない、請求項１〜３のいずれか一項に記載のスクリーン。
【請求項５】
前記隣接している縁が、各々、前記隣接している縁を前記板の主要な面に各々接続している２つの境界を備える、請求項１〜４のいずれか一項に記載のスクリーン。
【請求項６】
前記境界が、各境界が前記隣接している縁と前記板の前記主要な面との間に直角を形成しないように面取りされている、請求項５に記載のスクリーン。
【請求項７】
前記面取りされた境界が、概して凸状である、請求項６に記載のスクリーン。
【請求項８】
各隣接している縁が、２つの境界領域及び１つの中央領域を更に備え、各境界領域が、境界に隣接して、かつ好ましくは境界の全長に沿って位置し、前記中央領域が、前記境界領域間に位置し、前記中央領域の少なくとも一部が、前記境界領域の全てより厚い、請求項５〜７のいずれか一項に記載のスクリーン。
【請求項９】
前記境界領域及び／または前記中央領域が、概して凸状の面を備える、請求項８に記載のスクリーン。
【請求項１０】
前記中央領域が、概して平坦な面を備える、請求項８に記載のスクリーン。
【請求項１１】
前記隣接している縁が、各々、概して凸状の面を備える、請求項１〜１０のいずれか一項に記載のスクリーン。
【請求項１２】
前記境界、境界領域、または概して凸状の面が、対称である、請求項５〜１１のいずれか一項に記載のスクリーン。
【請求項１３】
前記隣接している縁が、１つ以上の陥凹及び／または突出を備える、請求項１〜１２のいずれか一項に記載のスクリーン。
【請求項１４】
前記板及び／または前記隣接している縁が、少なくとも９０ＭＰａであるが最大で２００ＭＰａの表面圧縮応力を備える、請求項１〜１３のいずれか一項に記載のスクリーン。
【請求項１５】
前記封止剤が、アルカリ金属ケイ酸塩を含む、請求項１〜１４のいずれか一項に記載のスクリーン。
【請求項１６】
前記封止剤が、無機酸化物及び／または黒鉛を更に含む、請求項１５に記載のスクリーン。
【請求項１７】
前記スクリーンが、前記隣接している縁及び／または縁領域に位置する１つ以上の点固定具を更に備える、請求項１〜１６のいずれか一項に記載のスクリーン。
【請求項１８】
前記スクリーンが、点固定具を備えない、請求項１〜１６のいずれか一項に記載のスクリーン。
【請求項１９】
前記隣接している縁の最接近点間の距離が、少なくとも３ｍｍであるが最大で１０ｍｍである、請求項１〜１８のいずれか一項に記載のスクリーン。
【請求項２０】
前記板が、各々、少なくとも６ｍｍであるが最大で２０ｍｍの厚さを有する、請求項１〜１９のいずれか一項に記載のスクリーン。
【請求項２１】
延焼を防止するための請求項１〜２０のいずれか一項に記載の耐火性ガラススクリーンの使用。
【請求項２２】
前記使用が、隔壁、壁、またはドアにおけるものである、請求項２１に記載の使用。
【発明の詳細な説明】
【技術分野】
【０００１】
本発明は、耐火性ガラススクリーン及び該耐火性ガラススクリーンの使用に関する。
【０００２】
耐火性ガラスとしては、網入りガラス、及びアルカリ金属ケイ酸塩で形成された中間層を有する合わせガラスが挙げられる。前者の透明性は、内部に装備された網が観察者の視野を遮ることにより、損なわれ得る。後者も、燃焼の際に中間層が発泡して不透明となり得るため、損なわれた透明性を有し得る。強化処理を受けた耐火性ガラスは、これらの問題を回避することができ、一枚板形態で使用され得る。
【０００３】
既知の一枚板耐火性ガラススクリーンとしては、強化ホウケイ酸塩ガラススクリーンが挙げられる。これらのスクリーンは、「突き合わせ継手」を組み込んでもよく、これにより、隣り合うガラス板が、隣接している縁にて互いに当接し（即ち、縁が互いに近接して境を接するが、必ずしも互いに直接接触する必要はない）、封止構成がこれらの縁の間に設けられ得る。突き合わせ継手は、隣接する板の間にフレームを提供する必要性を回避することで、ガラススクリーンの審美性を改善する。他の一枚板耐火性ガラススクリーンは、縁が完全に捕らえられている（即ち、板の外側の縁領域がフレーミングシステム中に収容され、隣り合う板の隣接している縁が、該隣接している縁の全体にわたる細長い中方立て、無目、桟、及び／または窓枠の両側に位置する）強化ソーダ石灰石英ガラススクリーンを組み込んでもよい。本発明の文脈において、窓枠は、隣接している縁の間及び／または隣接している縁領域に位置する、金属またはポリマーなどの材料の実質的に薄い（例えば、厚さ１０ｃｍ未満、好ましくは厚さ５ｃｍ未満、更により好ましくは厚さ２ｃｍ未満の）部分である。一部の一枚板耐火性ガラススクリーンは、隣接している縁の間及び／または隣接している縁領域に位置する、網、ロッド、及び／またはコードなどの１つ以上の嵌め込みを組み込んでもよい。
【０００４】
本発明の文脈では、ガラス板に関して使用される「縁」という用語は、該板の小さい面として定義される。
【０００５】
本発明の文脈では、ガラス板に関して使用される「縁領域」という用語は、該板の小さい面に該板の接続している各主要な面の最大３ｃｍ幅のストリップを足したものとして定義され、該ストリップ及び該該小さい面は、それらの長さ全体に沿って直接接触している。
【０００６】
一貫して高い光学特性を呈し、既知のホウケイ酸塩製品を上回る費用便益を有する一枚板耐火性ガラススクリーンを提供することが有利であろう。更に、完全に捕らえられている縁の必要性を回避しながら、更に必要な防火特性を提供するソーダ石灰石英ガラススクリーンを提供することが望ましいであろう。
【０００７】
本発明の第１の態様に従い、
少なくとも２枚の一枚板ソーダ石灰石英ガラス板を備え、
該板が、ある程度に強化され、
該板の各々が、隣接している縁にて該板のうちの少なくとも別の１枚に当接し、
封止剤が、該当接している板の隣接している縁の間に位置する、耐火性ガラススクリーンが提供される。
【０００８】
本発明の発明者らは、意外にも、第１の態様のガラススクリーンが、隣接しているガラス板が互いに当接する場所である完全に捕らえられている縁の存在を必要とすることなく、十分な防火性能を提供することを立証した。ガラススクリーンは、以下の関係
【０００９】
Ｔ＝３４５ ｌｏｇ１０（８ｔ＋１）＋２０
（式中、
ｔは、試験開始からの分単位の時間（分）であり、
Ｔは、摂氏単位の平均炉温度（℃）である）
【００１０】
に従う、ＢＳ４７６−２０：１９８７またはＢＳ  ＥＮ  １３６３−１：２０１２規格の温度／時間曲線に対して試験したときに、ＢＳ４７６−２２：１９８７またはＢＳ  ＥＮ  １３５０１−２：２００７に従う３０分の燃焼試験評価、及び一部の場合には、対応する６０分の評価も達成し得る。更に、このガラススクリーンは、既知の強化ガラススクリーンに関連付けられている一貫して高い光学特性を提供する。
【００１１】
本発明の以下の考察において、別のことが示されない限り、パラメータの許可された範囲の上限または下限に対する代替的値の開示は、該値のうちの１つが他のものよりも極めて好ましいという表示に加えて、該代替的値のより好ましいものとより好ましくないものとの間に存在する該パラメータの各中間値が、それ自体、該より好ましくない値よりも、また該より好ましくない値と該中間値との間に存在する各値よりも好ましいという暗示として企図されるものである。
【００１２】
本発明の文脈では、「封止剤」という用語は、１つ以上の表面を被覆し、かつ／あるいは１つ以上の間隙を塞いで、液体または気体の通過を防止し、かつ／あるいは接着剤として作用するために使用される物質として定義される。該封止剤は、典型的には、ときに剛性固体を形成する程度に乾燥することで封止剤の粘度を増加させる、液体または柔軟な固体である。
【００１３】
好ましくは、少なくとも２枚の一枚板ソーダ石灰石英ガラス板は、ＢＳ  ＥＮ  ５７２シリーズ規格に従う。
【００１４】
スクリーンは、２枚、３枚、４枚、５枚、またはそれ以上の板を備えてもよい。スクリーンが３枚以上の板を備える場合、板のうちの少なくとも１枚は、２枚以上の他の板に当接する。該板は、任意の好適な縁にて当接し得る。該板は、少なくとも３つ、好ましくは４つの縁を有し得る。
【００１５】
好ましくは、中方立て、無目、桟、窓枠、及び／または嵌め込みは、該隣接している縁の少なくとも一部の間に位置せず、かつ／あるいは隣接している縁領域の少なくとも一部に位置しない。好ましくは、中方立て、無目、桟、窓枠、及び／または嵌め込みは、該隣接している縁の長さの少なくとも８０％の間に位置せず、かつ／あるいは隣接している縁領域の長さの少なくとも８０％に位置せず、より好ましくは、該隣接している縁の長さの少なくとも９０％の間に位置せず、かつ／あるいは隣接している縁領域の長さの少なくとも９０％に位置せず、更により好ましくは、該隣接している縁の長さの少なくとも９５％の間に位置せず、かつ／または隣接している縁領域の長さの少なくとも９５％に位置しない。最も好ましくは、中方立て、無目、桟、窓枠、及び／または嵌め込みは、該隣接している縁の間に位置せず、かつ／または隣接している縁領域に位置しない。本発明のガラススクリーンは、隣接している板の間の完全に捕らえられている縁の存在なしに燃焼試験規格に達することができるため、より簡素であり、観察者の気を散らさず、かつより見た目に美しい。嵌め込みは、隣接している縁の間及び／または隣接している縁領域に位置する、網、ロッド、及び／またはコードを備えてもよい。かかる嵌め込みは、アルミニウムなどの金属、及び／またはアスベストなどの耐熱材料を備えてもよい。好ましくは、該嵌め込みは、封止剤を含まない。
【００１６】
好ましくは、該隣接している縁は、各々、該隣接している縁を該板の主要な面に各々接続している２つの境界を備える。好ましくは、該境界は、各境界が隣接している縁と板の主要な面との間に直角を形成しないように面取りされている。好ましくは、該面取りされた境界は概して凸状である。一部の実施形態では、境界は非対称であってもよい。好ましくは、境界は対称である。
【００１７】
好ましくは、各隣接している縁は、２つの境界領域及び１つの中央領域を更に備え、各境界領域は、境界に隣接して、かつ好ましくは境界の全長に沿って位置し、中央領域は、境界領域間に位置する。好ましくは、中央領域の少なくとも１つの部分は、境界領域の全てより厚い。該隣接している縁の特定の部分の厚さは、該部分の表面と、隣接する主要な面と直角を形成する対向する境界の両方にある該部分に最接近している点からの架空の線と直角で交差する点との間の架空の線の長さを意味すると理解される。好ましくは、該境界領域及び／または中央領域は、概して凸状の面を備える。代替的実施形態では、中央領域は、概して平坦な面を備えてもよい。該概して凸状の面は、１つ以上の曲線及び／または線を備えてもよい。該境界領域は、対称であっても非対称であってもよい。好ましくは、境界領域は対称である。
【００１８】
好ましくは、中央領域の少なくとも５０％（即ち、表面積の少なくとも５０％に対応する）、より好ましくは中央領域の少なくとも７０％、更により好ましくは中央領域の少なくとも９０％、更により好ましくは中央領域の少なくとも９５％、最も好ましくは中央領域の全てが、境界領域の全てより厚い。
【００１９】
好ましくは、中央領域は、隣接している縁の表面積の少なくとも５０％、より好ましくは少なくとも７０％、更により好ましくは少なくとも８０％に対応する。
【００２０】
好ましくは、該隣接している縁は、各々、概して凸状の面を備える。該概して凸状の面は、１つ以上の曲線及び／または線を備えてもよい。該概して凸状の面は、対称であっても非対称であってもよい。好ましくは、該概して凸状の面は対称である。
【００２１】
あるいはまたは加えて、該隣接している縁は、１つ以上の陥凹及び／または突起を備えてもよい。
【００２２】
好ましくは、隣接している縁の表面は、０．１ｍｍ以下、より好ましくは０．０８ｍｍ以下、更により好ましくは０．０６ｍｍ以下、最も好ましくは０．０５ｍｍ以下の最大表面凹凸を有する。好ましくは、該隣接している縁の表面は、中央領域の表面である。
【００２３】
好ましくは、該境界及び／または該境界領域は、０．０１５ｍｍ以下、より好ましくは０．０１ｍｍ以下、更により好ましくは０．０８ｍｍ以下、最も好ましくは０．０７ｍｍ以下の最大表面凹凸を持つ表面を備える。ガラス板内で発生する応力は板の境界／隆起部分に集中する傾向にあるため、これらの領域におけるより平滑な表面はより高い縁強度を提供する。
【００２４】
隣接している縁は、バフ研磨、熱融解、化学的融解などによって処理されていてもよい。
【００２５】
板は、熱処理及び／または化学処理によって強化されていてもよい。好ましくは、該板及び／または該隣接している縁は、少なくとも９０ＭＰａ、より好ましくは少なくとも１１０ＭＰａ、更により好ましくは少なくとも１２０ＭＰａであるが、好ましくは最大で２００ＭＰａ、より好ましくは最大で１８０ＭＰａ、更により好ましくは最大で１７０ＭＰａの表面圧縮応力を備える。
【００２６】
板のうちの１枚以上は、１つ以上の層でコーティングされてもよい。該層は、低放射率のコーティングを備えてもよい。該層は、板のうちの１枚以上の１つ以上の主要な面をコーティングし得る。
【００２７】
封止剤は、シリコーン、無機ケイ酸塩、アクリル、アスファルト、ブチルゴム、セメント、コンクリート、エポキシ、ラテックス、プラスチック、多硫化物、ポリウレタン、及びウレタンのうちの１つ以上を含んでもよい。好ましくは、封止剤は、アルカリ金属ケイ酸塩を含み、最も好ましくは無機酸化物及び／または黒鉛を更に含む。好ましくは、封止剤は水を含む。これらの好ましい封止剤は、燃焼の際にスクリーンの完全性を確実にするのを助ける。
【００２８】
スクリーンは、前記隣接している縁及び／または縁領域に位置する１つ以上の点固定具を更に備えてもよい。本発明の文脈では、点固定具は、該隣接している縁を定位置に保持するための手段であり、この固定具は、最大で１０ｃｍであるが、好ましくは少なくとも１ｃｍの最長寸法を有する。かかる点固定具及び／または封止剤は、スクリーンに剛性を加え、燃焼の際に板が離れることを防止するのに役立つ。好ましくは、該固定具は、各々、隣接している縁に隣接している板の各々の主要な面に各々接触し、該隣接している縁の間の領域をまたぐ、２つの対向するフランジを備える。該フランジは、金属から製造されることが好ましい。好ましくは、該フランジは、該隣接している縁の間の領域を介して接続している。該フランジは、ねじ、ピン、ボルト、または任意の他の好適な手段などの接続手段によって接続していてもよい。接続手段は、隣接している縁の間に位置するブッシング、好ましくはねじ式ブッシングの内部に位置し得る。好ましくは、フランジは、各々、板の主要な面に接触している概して平坦な面を備える。該概して平坦な表面は、ガスケット、例えば、シリコーン、鉱物繊維（例えば、セラミックウール、繊維ガラス）、またはプラスチックポリマー（ポリクロロトリフルオロエチレンなど）ガスケットを備えてもよい。好ましくは、フランジは円形であるが、例えば、四角形、長方形、六角形、楕円形などの任意の好適な代替的形状であってもよい。好ましくは、固定具は、隣接している縁に沿って規則的な間隔で離間している。好ましくは、スクリーンは、点固定具を備えない。この配列は、より簡素であり、気が散らず、より審美的に望ましい。
【００２９】
好ましくは、隣接している縁の最接近点間の距離は、少なくとも３ｍｍ、より好ましくは少なくとも４ｍｍ、更により好ましくは少なくとも５ｍｍであるが、好ましくは最大で１０ｍｍ、より好ましくは最大で８ｍｍ、更により好ましくは最大で７ｍｍである。これらの好ましい距離は、十分な完全性及び観察者の気の散りを最低限にすることを確実にするのを助ける。
【００３０】
好ましくは、板は、各々、少なくとも６ｍｍ、好ましくは少なくとも８ｍｍ、更により好ましくは少なくとも１０ｍｍ、最も好ましくは少なくとも１２ｍｍであるが、好ましくは最大で２０ｍｍ、より好ましくは最大で１７ｍｍ、更により好ましくは最大で１５ｍｍの厚さを有する。
【００３１】
好ましくは、スクリーンは、外側囲繞フレームを更に備える。該フレームは、金属または任意の他の好適な材料から製造されてもよい。スクリーンは、板とフレームとの間の接合部に位置する、ガラスガスケット、封止剤、マスチック、及び／または既知のガラス材料を更に備えてもよい。
【００３２】
本発明の第２の態様に従い、延焼を防止するための本発明の第１の態様に従う耐火性ガラススクリーンの使用が提供される。
【００３３】
好ましくは、該使用は、隔壁、壁、またはドアにおいてである。
【００３４】
本発明の一態様に適用可能な任意選択の特徴は、任意の組み合わせで、また任意の数で使用され得ることが理解される。更に、これらはまた、本発明の他の態様と共に、任意の組み合わせで、また任意の数で使用され得る。これは、本出願の特許請求の範囲における任意の他の請求項についての従属請求項として使用される任意の請求項からの従属請求項を含むが、これらに限定されない。
【００３５】
読者は、本出願に関連する本明細書と同時にまたは本明細書に先行して出願され、本明細書と共に公衆の閲覧に付される全ての文書に注意を払い、全てのかかる文書の内容は、参照により本明細書に組み込まれる。
【００３６】
本明細書（いずれの添付の特許請求の範囲、要約、及び図面も含む）に開示の特徴の全て、及び／または同様に開示のいずれの方法またはプロセスのステップの全ても、かかる特徴及び／またはステップのうちの少なくとも一部が相互排他的である組み合わせを除いて、任意の組み合わせで組み合わされてもよい。
【００３７】
本明細書（いずれの添付の特許請求の範囲、要約、及び図面も含む）に開示の各特徴は、別途明示的に示されない限り、同じ、等価の、または同様の目的を果たす代替的特徴によって代置されてもよい。よって、別途明示的に示されない限り、開示の各特徴は、等価または同様の特徴の汎用的な組の一例にすぎない。
【００３８】
本発明は、これから、添付の図面を参照しながら、例示目的で付与されるのであって限定的ではない以下の具体的な実施形態によって更に説明される。
【図面の簡単な説明】
【００３９】
【図１】図１は、本発明に従う耐火性ガラススクリーンの第１の実施形態の断面図を示す。
【図２】図２は、点固定具を組み込む本発明に従う耐火性ガラススクリーンの第２の実施形態の断面図を示す。
【００４０】
図１は、ＢＳ  ＥＮ  ５７２シリーズ規格に従い、ある程度に強化された２枚の一枚板ソーダ石灰石英ガラス板２を備える、本発明に従う耐火性ガラススクリーン１の第１の実施形態の断面図を示す。板２は、隣接している凸状の縁３にて互いに当接し、封止剤４は、該隣接している縁３の間に位置する。
【００４１】
図２は、本発明に従う耐火性ガラススクリーン１の第２の実施形態の断面図を示す。このスクリーン１は、図１に示すスクリーン１と同じ構成要素を有するが、皿頭の鋼製ねじ６によって接続されるボタン形の鋼製点固定具５を追加で備える。固定具５は、各々、鉱物繊維ガスケット７を組み込む概して平坦な底面を有する。ガスケット７は、各々、隣接している縁３に隣接している板２の各々の主要な面に接触し、該隣接している縁３の間の領域をまたぐ。
【実施例】
【００４２】
ある数のガラススクリーンを、燃焼試験規格ＢＳ  ＥＮ  １３６３−１、具体的にはＢＳ  ＥＮ  １３６４−１：１９９９  −  Ｆｉｒｅ  ｒｅｓｉｓｔａｎｃｅ  ｔｅｓｔｓ  ｆｏｒ  ｎｏｎ  ｌｏａｄ  ｂｅａｒｉｎｇ  ｅｌｅｍｅｎｔｓ  −  Ｐａｒｔ  １：  Ｗａｌｌｓに従って試験した。各スクリーンは、Ｐｉｌｋｉｎｇｔｏｎ  Ｐｙｒｏｃｌｅａｒ（ＲＴＭ）ガラスの板３枚（板寸法：厚さ１０ｍｍ、高さ２．８７ｍ、及び合計３ｍの幅を提供する様々な幅）、及び板の隣接している縁の間に封止剤を備えた。隣接している縁の最接近点間の距離は、各スクリーンについて５ｍｍであった。実施例２〜５のスクリーンの事例において、点固定具は、０．６ｍ間隔で板の隣接している縁領域に位置した。点固定具は、各々、鉱物繊維ガスケットを持つ２つの円形鋼製フランジ（直径３５ｍｍ）を備えた。フランジの各対を、皿頭の鋼製ねじを用いて接続した。実施例１及び６のスクリーンは点固定具を組み込まなかった。
【００４３】
【表１】
2017525641.tif 000003
[表１]燃焼試験規格ＢＳ  ＥＮ  １３６３−１、具体的にはＢＳ  ＥＮ  １３６４−１：１９９９に従って試験した本発明に従うガラススクリーンについての燃焼試験結果
【００４４】
実施例１のスクリーンは、点固定具なしでＳｅａｌｍａｓｔｅｒ（ＲＴＭ）Ｆｉｒｅｇｌａｚｅ封止剤を使用した。このスクリーンは、耐火性を示したが、上記の規格に対して３０分を達成しなかった。実施例２〜４のスクリーンは、全て点固定具を組み込み、上記の規格に対して３０分超の耐火性を呈した。実施例５のスクリーンは、点固定具と共にアルカリ金属ケイ酸塩封止剤を利用し、上記の規格に対して６０分超を達成した。実施例６のスクリーンもアルカリ金属ケイ酸塩封止剤を使用したが、点固定具を組み込まず、依然として上記の規格に対して３０分超を達成した。
【００４５】
本発明は、前述の実施形態の詳細に限定されない。本発明は、本明細書（いずれの添付の特許請求の範囲、要約、及び図面も含む）に開示の特徴のうちの任意の新規の１つ若しくは任意の新規の組み合わせ、または同様に開示の任意の方法若しくはプロセスのステップのうちの任意の新規の１つ若しくは任意の新規の組み合わせに及ぶ。
【図１】
2017525641.tif 000004
【図２】
2017525641.tif 000005
【国際調査報告】
2017525641.tif 000006
2017525641.tif 000007
2017525641.tif 000008